【手続補正書】
【提出日】平成15年8月20日(2003.8.20)
【手続補正１】
【補正対象書類名】明細書
【補正対象項目名】発明の名称
【補正方法】変更
【補正の内容】
【発明の名称】光ディスク装置と光ディスクの記録再生方法


【手続補正２】
【補正対象書類名】明細書
【補正対象項目名】特許請求の範囲
【補正方法】変更
【補正の内容】
【特許請求の範囲】
【請求項１】
データが記録されるスパイラル状あるいは同心円状のトラックを有し、このトラックがグルーブとランドとからなり、複数のトラックずつの複数のゾーンからなり、
各ゾーンごとに、所定のトラック長からなり、かつトラック上における位置を示すアドレスデータ等のデータを表すエンボスピットでプリフォーマットされたヘッダ領域とミラーマーク領域と８−１６変調により記録データが記録される記録領域とを含む複数の連続したセクタ領域を、複数個有し、
内周側のゾーンから外周側のゾーンへ移行するごとに順次１トラック当りのセクタ領域の数が１セクタずつ増加するフォーマットが定義され、
内周側のゾーンから外周側のゾーンへ移行するごとに順次遅くなる回転数で回転され、
上記ヘッダ領域が、４つのアドレス領域を有し、
各アドレス領域が、周波数同期を取る第１の周波数同期コード領域と、セクタアドレスの始まりを示す同期コードとのアドレスマークと、セクタのアドレス情報が記録されているセクタアドレス領域と、セクタアドレスに対する誤り検出符号が記録されている誤り検出領域と、ポストアンブルとを有し、
上記記録領域が、データの書き始めの位置をずらすためのギャップ領域と、周波数同期を取る第２の周波数同期コード領域と、同期コード、ＥＣＣ、ＥＤＣ、ユーザデータからなるデータ領域と、データ領域の終端を繰り返し記録による劣化から保護するためのガードデータ領域と、記録領域が次のヘッダ領域にかからないように光ディスクの回転変動を吸収するとともにギャップ領域の長さ変動によるデータ領域の長さを補正するバッファ領域により構成される
相変化型の光ディスクに対して、
データの記録を行う光ディスク装置において、
データの記録時の欠陥に対する代替エリアを示す代替エリア情報を記憶する記憶手段と、
データの記録後、記録したデータを読出してエラー訂正を行うことによりデータの再生を行い、このデータの再生が正しく行えなかった際、その記録エリアを欠陥エリアとして、別のエリアに対するデータの記録を行い、かつその欠陥エリアと別の記録エリアとの対応を代替エリア情報として上記記憶手段に記憶する代替処理手段と、
を設けたことを特徴とする光ディスク装置。
【請求項２】
データが記録されるスパイラル状あるいは同心円状のトラックを有し、このトラックがグルーブとランドとからなり、複数のトラックずつの複数のゾーンからなり、
各ゾーンごとに、所定のトラック長からなり、かつトラック上における位置を示すアドレスデータ等のデータを表すエンボスピットでプリフォーマットされたヘッダ領域とミラーマーク領域と８−１６変調により記録データが記録される記録領域とを含む複数の連続したセクタ領域を、複数個有し、
内周側のゾーンから外周側のゾーンへ移行するごとに順次１トラック当りのセクタ領域の数が１セクタずつ増加するフォーマットが定義され、
内周側のゾーンから外周側のゾーンへ移行するごとに順次遅くなる回転数で回転され、
上記ヘッダ領域が、４つのアドレス領域を有し、
各アドレス領域が、周波数同期を取る第１の周波数同期コード領域と、セクタアドレスの始まりを示す同期コードとのアドレスマークと、セクタのアドレス情報が記録されているセクタアドレス領域と、セクタアドレスに対する誤り検出符号が記録されている誤り検出領域と、ポストアンブルとを有し、
上記記録領域が、データの書き始めの位置をずらすためのギャップ領域と、周波数同期を取る第２の周波数同期コード領域と、同期コード、ＥＣＣ、ＥＤＣ、ユーザデータからなるデータ領域と、データ領域の終端を繰り返し記録による劣化から保護するためのガードデータ領域と、記録領域が次のヘッダ領域にかからないように光ディスクの回転変動を吸収するとともにギャップ領域の長さ変動によるデータ領域の長さを補正するバッファ領域により構成される
相変化型の光ディスクに対して、
記録されているデータの再生を行う光ディスク装置において、
データの再生時の欠陥に対する代替エリアを示す代替エリア情報を記憶する記憶手段と、
データの再生時、読出したデータに対して、エラー訂正を行うことによりデータの再生を行い、このデータの再生が正しく行えなかった際、その記録エリアを欠陥エリアとして、再生したデータの、別のエリアに対するエラー訂正後のデータの記録を行い、かつその欠陥エリアと別の記録エリアとの対応を代替エリア情報として上記記憶手段に記憶する代替処理手段と、
を設けたことを特徴とする光ディスク装置。
【請求項３】
データが記録されるスパイラル状あるいは同心円状のトラックを有し、このトラックがグルーブとランドとからなり、複数のトラックずつの複数のゾーンからなり、
各ゾーンごとに、所定のトラック長からなり、かつトラック上における位置を示すアドレスデータ等のデータを表すエンボスピットでプリフォーマットされたヘッダ領域とミラーマーク領域と８−１６変調により記録データが記録される記録領域とを含む複数の連続したセクタ領域を、複数個有し、
内周側のゾーンから外周側のゾーンへ移行するごとに順次１トラック当りのセクタ領域の数が１セクタずつ増加するフォーマットが定義され、
内周側のゾーンから外周側のゾーンへ移行するごとに順次遅くなる回転数で回転され、
上記ヘッダ領域が、４つのアドレス領域を有し、
各アドレス領域が、周波数同期を取る第１の周波数同期コード領域と、セクタアドレスの始まりを示す同期コードとのアドレスマークと、セクタのアドレス情報が記録されているセクタアドレス領域と、セクタアドレスに対する誤り検出符号が記録されている誤り検出領域と、ポストアンブルとを有し、
上記記録領域が、データの書き始めの位置をずらすためのギャップ領域と、周波数同期を取る第２の周波数同期コード領域と、同期コード、ＥＣＣ、ＥＤＣ、ユーザデータからなるデータ領域と、データ領域の終端を繰り返し記録による劣化から保護するためのガードデータ領域と、記録領域が次のヘッダ領域にかからないように光ディスクの回転変動を吸収するとともにギャップ領域の長さ変動によるデータ領域の長さを補正するバッファ領域により構成される
相変化型の光ディスクに対して、
データの記録あるいは記録されているデータの再生を行う光ディスク装置において、
データの記録時、再生時の欠陥に対する代替エリアを示す代替エリア情報を記憶する記憶手段と、
データの記録後、記録したデータを読出してエラー訂正を行うことによりデータの再生を行い、このデータの再生が正しく行えなかった際、その記録エリアを欠陥エリアとして、別のエリアに対するデータの記録を行い、かつその欠陥エリアと別の記録エリアとの対応を代替エリア情報として上記記憶手段に記憶する第１の代替処理手段と、
データの再生時、読出したデータに対して、エラー訂正を行うことによりデータの再生を行い、このデータの再生が正しく行えなかった際、その記録エリアを欠陥エリアとして、再生したデータの、別のエリアに対するエラー訂正後のデータの記録を行い、かつその欠陥エリアと別の記録エリアとの対応を代替エリア情報として上記記憶手段に記憶する第２の代替処理手段と、
を設けたことを特徴とする光ディスク装置。
【請求項４】
データが記録されるスパイラル状あるいは同心円状のトラックを有し、このトラックがグルーブとランドとからなり、複数のトラックずつの複数のゾーンからなり、
各ゾーンごとに、所定のトラック長からなり、かつトラック上における位置を示すアドレスデータ等のデータを表すエンボスピットでプリフォーマットされたヘッダ領域とミラーマーク領域と８−１６変調により記録データが記録される記録領域とを含む複数の連続したセクタ領域を、複数個有し、
内周側のゾーンから外周側のゾーンへ移行するごとに順次１トラック当りのセクタ領域の数が１セクタずつ増加するフォーマットが定義され、
内周側のゾーンから外周側のゾーンへ移行するごとに順次遅くなる回転数で回転され、
上記ヘッダ領域が、４つのアドレス領域を有し、
各アドレス領域が、周波数同期を取る第１の周波数同期コード領域と、セクタアドレスの始まりを示す同期コードとのアドレスマークと、セクタのアドレス情報が記録されているセクタアドレス領域と、セクタアドレスに対する誤り検出符号が記録されている誤り検出領域と、ポストアンブルとを有し、
上記記録領域が、データの書き始めの位置をずらすためのギャップ領域と、周波数同期を取る第２の周波数同期コード領域と、同期コード、ＥＣＣ、ＥＤＣ、ユーザデータからなるデータ領域と、データ領域の終端を繰り返し記録による劣化から保護するためのガードデータ領域と、記録領域が次のヘッダ領域にかからないように光ディスクの回転変動を吸収するとともにギャップ領域の長さ変動によるデータ領域の長さを補正するバッファ領域により構成される
相変化型の光ディスクに対して、
データの記録あるいは記録されているデータの再生を行う光ディスクの記録再生方法において、
データの記録後、記録したデータを読出してエラー訂正を行うことによりデータの再生を行い、このデータの再生が正しく行えなかった際、その記録エリアを欠陥エリアとして、別のエリアに対するデータの記録を行い、かつその欠陥エリアと別の記録エリアとの対応を代替エリア情報として記憶し、
データの再生時、読出したデータに対して、エラー訂正を行うことによりデータの再生を行い、このデータの再生が正しく行えなかった際、その記録エリアを欠陥エリアとして、再生したデータの、別のエリアに対するエラー訂正後のデータの記録を行い、かつその欠陥エリアと別の記録エリアとの対応を代替エリア情報として記憶する、
ことを特徴とする光ディスクの記録再生方法。
【手続補正３】
【補正対象書類名】明細書
【補正対象項目名】０００１
【補正方法】変更
【補正の内容】
【０００１】
【発明の属する技術分野】
この発明は、複数のトラックずつの複数のゾーンからなる光ディスクにデータを記録したり、上記光ディスクに記録されているデータを再生する光ディスク装置と光ディスクの記録再生方法に関する。
【手続補正４】
【補正対象書類名】明細書
【補正対象項目名】０００２
【補正方法】変更
【補正の内容】
【０００２】
【従来の技術】
近年、グルーブ及びランドの両方を用いてデータの記録、あるいは記録されているデータの再生を行い、かつヘッダ領域と記録領域とからなるセクタ単位でデータが記録され、さらに半径方向に複数のトラックからなる複数のゾーンに分割されている相変化形の光ディスクが開発されている。
【手続補正５】
【補正対象書類名】明細書
【補正対象項目名】０００３
【補正方法】変更
【補正の内容】
【０００３】
このような光ディスクでは、同一セクタへの繰り返し記録による記録領域の劣化が発生している。
【手続補正６】
【補正対象書類名】明細書
【補正対象項目名】０００４
【補正方法】削除
【補正の内容】
【手続補正７】
【補正対象書類名】明細書
【補正対象項目名】０００５
【補正方法】削除
【補正の内容】
【手続補正８】
【補正対象書類名】明細書
【補正対象項目名】０００６
【補正方法】削除
【補正の内容】
【手続補正９】
【補正対象書類名】明細書
【補正対象項目名】０００７
【補正方法】変更
【補正の内容】
【０００７】
【発明が解決しようとする課題】
この発明は、グルーブ及びランドの両方を用いてデータの記録、あるいは記録されているデータの再生を行い、かつヘッダ領域と記録領域とからなるセクタ単位でデータが記録され、さらに半径方向に複数のトラックからなる複数のゾーンに分割されている相変化型の光ディスクにおいて、同一セクタへの繰り返し記録による記録領域の劣化を防止することができ、欠陥セクタの発生を抑えることができ、光ディスクの信頼性の向上が図れる光ディスク装置と光ディスクの記録再生方法を提供することを目的とする。
【手続補正１０】
【補正対象書類名】明細書
【補正対象項目名】０００８
【補正方法】変更
【補正の内容】
【０００８】
【課題を解決するための手段】
この発明の光ディスク装置は、データが記録されるスパイラル状あるいは同心円状のトラックを有し、このトラックがグルーブとランドとからなり、複数のトラックずつの複数のゾーンからなり、各ゾーンごとに、所定のトラック長からなり、かつトラック上における位置を示すアドレスデータ等のデータを表すエンボスピットでプリフォーマットされたヘッダ領域とミラーマーク領域と８−１６変調により記録データが記録される記録領域とを含む複数の連続したセクタ領域を、複数個有し、内周側のゾーンから外周側のゾーンへ移行するごとに順次１トラック当りのセクタ領域の数が１セクタずつ増加するフォーマットが定義され、内周側のゾーンから外周側のゾーンへ移行するごとに順次遅くなる回転数で回転され、上記ヘッダ領域が、４つのアドレス領域を有し、各アドレス領域が、周波数同期を取る第１の周波数同期コード領域と、セクタアドレスの始まりを示す同期コードとのアドレスマークと、セクタのアドレス情報が記録されているセクタアドレス領域と、セクタアドレスに対する誤り検出符号が記録されている誤り検出領域と、ポストアンブルとを有し、上記記録領域が、データの書き始めの位置をずらすためのギャップ領域と、周波数同期を取る第２の周波数同期コード領域と、同期コード、ＥＣＣ、ＥＤＣ、ユーザデータからなるデータ領域と、データ領域の終端を繰り返し記録による劣化から保護するためのガードデータ領域と、記録領域が次のヘッダ領域にかからないように光ディスクの回転変動を吸収するとともにギャップ領域の長さ変動によるデータ領域の長さを補正するバッファ領域により構成される相変化型の光ディスクに対して、データの記録を行うものにおいて、データの記録時の欠陥に対する代替エリアを示す代替エリア情報を記憶する記憶手段と、データの記録後、記録したデータを読出してエラー訂正を行うことによりデータの再生を行い、このデータの再生が正しく行えなかった際、その記録エリアを欠陥エリアとして、別のエリアに対するデータの記録を行い、かつその欠陥エリアと別の記録エリアとの対応を代替エリア情報として上記記憶手段に記憶する代替処理手段とを設けたものである。
【手続補正１１】
【補正対象書類名】明細書
【補正対象項目名】０００９
【補正方法】変更
【補正の内容】
【０００９】
この発明の光ディスク装置は、データが記録されるスパイラル状あるいは同心円状のトラックを有し、このトラックがグルーブとランドとからなり、複数のトラックずつの複数のゾーンからなり、各ゾーンごとに、所定のトラック長からなり、かつトラック上における位置を示すアドレスデータ等のデータを表すエンボスピットでプリフォーマットされたヘッダ領域とミラーマーク領域と８−１６変調により記録データが記録される記録領域とを含む複数の連続したセクタ領域を、複数個有し、内周側のゾーンから外周側のゾーンへ移行するごとに順次１トラック当りのセクタ領域の数が１セクタずつ増加するフォーマットが定義され、内周側のゾーンから外周側のゾーンへ移行するごとに順次遅くなる回転数で回転され、上記ヘッダ領域が、４つのアドレス領域を有し、各アドレス領域が、周波数同期を取る第１の周波数同期コード領域と、セクタアドレスの始まりを示す同期コードとのアドレスマークと、セクタのアドレス情報が記録されているセクタアドレス領域と、セクタアドレスに対する誤り検出符号が記録されている誤り検出領域と、ポストアンブルとを有し、上記記録領域が、データの書き始めの位置をずらすためのギャップ領域と、周波数同期を取る第２の周波数同期コード領域と、同期コード、ＥＣＣ、ＥＤＣ、ユーザデータからなるデータ領域と、データ領域の終端を繰り返し記録による劣化から保護するためのガードデータ領域と、記録領域が次のヘッダ領域にかからないように光ディスクの回転変動を吸収するとともにギャップ領域の長さ変動によるデータ領域の長さを補正するバッファ領域により構成される相変化型の光ディスクに対して、記録されているデータの再生を行うものにおいて、データの再生時の欠陥に対する代替エリアを示す代替エリア情報を記憶する記憶手段と、データの再生時、読出したデータに対して、エラー訂正を行うことによりデータの再生を行い、このデータの再生が正しく行えなかった際、その記録エリアを欠陥エリアとして、再生したデータの、別のエリアに対するエラー訂正後のデータの記録を行い、かつその欠陥エリアと別の記録エリアとの対応を代替エリア情報として上記記憶手段に記憶する代替処理手段を設けたものである。
【手続補正１２】
【補正対象書類名】明細書
【補正対象項目名】００１０
【補正方法】変更
【補正の内容】
【００１０】
この発明の光ディスク装置は、データが記録されるスパイラル状あるいは同心円状のトラックを有し、このトラックがグルーブとランドとからなり、複数のトラックずつの複数のゾーンからなり、各ゾーンごとに、所定のトラック長からなり、かつトラック上における位置を示すアドレスデータ等のデータを表すエンボスピットでプリフォーマットされたヘッダ領域とミラーマーク領域と８−１６変調により記録データが記録される記録領域とを含む複数の連続したセクタ領域を、複数個有し、内周側のゾーンから外周側のゾーンへ移行するごとに順次１トラック当りのセクタ領域の数が１セクタずつ増加するフォーマットが定義され、内周側のゾーンから外周側のゾーンへ移行するごとに順次遅くなる回転数で回転され、上記ヘッダ領域が、４つのアドレス領域を有し、各アドレス領域が、周波数同期を取る第１の周波数同期コード領域と、セクタアドレスの始まりを示す同期コードとのアドレスマークと、セクタのアドレス情報が記録されているセクタアドレス領域と、セクタアドレスに対する誤り検出符号が記録されている誤り検出領域と、ポストアンブルとを有し、上記記録領域が、データの書き始めの位置をずらすためのギャップ領域と、周波数同期を取る第２の周波数同期コード領域と、同期コード、ＥＣＣ、ＥＤＣ、ユーザデータからなるデータ領域と、データ領域の終端を繰り返し記録による劣化から保護するためのガードデータ領域と、記録領域が次のヘッダ領域にかからないように光ディスクの回転変動を吸収するとともにギャップ領域の長さ変動によるデータ領域の長さを補正するバッファ領域により構成される相変化型の光ディスクに対して、データの記録あるいは記録されているデータの再生を行うものにおいて、データの記録時、再生時の欠陥に対する代替エリアを示す代替エリア情報を記憶する記憶手段と、データの記録後、記録したデータを読出してエラー訂正を行うことによりデータの再生を行い、このデータの再生が正しく行えなかった際、その記録エリアを欠陥エリアとして、別のエリアに対するデータの記録を行い、かつその欠陥エリアと別の記録エリアとの対応を代替エリア情報として上記記憶手段に記憶する第１の代替処理手段と、データの再生時、読出したデータに対して、エラー訂正を行うことによりデータの再生を行い、このデータの再生が正しく行えなかった際、その記録エリアを欠陥エリアとして、再生したデータの、別のエリアに対するエラー訂正後のデータの記録を行い、かつその欠陥エリアと別の記録エリアとの対応を代替エリア情報として上記記憶手段に記憶する第２の代替処理手段とを設けたものである。
【手続補正１３】
【補正対象書類名】明細書
【補正対象項目名】００１１
【補正方法】削除
【補正の内容】
【手続補正１４】
【補正対象書類名】明細書
【補正対象項目名】００１２
【補正方法】削除
【補正の内容】
【手続補正１５】
【補正対象書類名】明細書
【補正対象項目名】００１３
【補正方法】削除
【補正の内容】
【手続補正１６】
【補正対象書類名】明細書
【補正対象項目名】００１４
【補正方法】削除
【補正の内容】
【手続補正１７】
【補正対象書類名】明細書
【補正対象項目名】００１５
【補正方法】削除
【補正の内容】
【手続補正１８】
【補正対象書類名】明細書
【補正対象項目名】００８５
【補正方法】変更
【補正の内容】
【００８５】
【発明の効果】
以上詳述したように、この発明によれば、グルーブ及びランドの両方を用いてデータの記録、あるいは記録されているデータの再生を行い、かつヘッダ領域と記録領域とからなるセクタ単位でデータが記録され、さらに半径方向に複数のトラックからなる複数のゾーンに分割されている相変化型の光ディスクにおいて、同一セクタへの繰り返し記録による記録領域の劣化を防止することができ、欠陥セクタの発生を抑えることができ、光ディスクの信頼性の向上が図れる光ディスク装置と光ディスクの記録再生方法を提供できる。